(57)【要約】【課題】織物生地を解けにくくし、鞄生地を補強した鞄を提供する。【解決手段】本発明の鞄１は、第一織物生地２の面上に、経糸を、第一織物生地２の経糸方向に対して斜め方向に重ね合わせて縫製した第二織物生地３を備えたことを特徴とし、例えば、第一織物生地２からなる、収納部を有する本体部４を形成し、第二織物生地３からなる、本体部４の面上に縫製した補強部材５を備えたものとすることができる。鞄１は、第一織物生地２又は第二織物生地３のどちらかの経糸又は緯糸には斜め方向に力が作用するため、織物生地が解けにくくなり、鞄生地が補強されたものになる。【選択図】図１
2012165917.tif 000002
【特許請求の範囲】
【請求項１】
第一織物生地の面上に、経糸を、第一織物生地の経糸方向に対して斜め方向に重ね合わせて縫製した第二織物生地を備えた鞄。
【請求項２】
第一織物生地からなる、収納部を有する本体部と、第二織物生地からなる、本体部の面上に縫製した補強部材とを、備えた請求項１に記載の鞄。
【請求項３】
第一織物生地の経糸方向に対して第二織物生地の経糸方向を４０°〜５０°とした請求項１又は２に記載の鞄。
【請求項４】
補強部材の面上に、持ち手又は肩紐の取付部を、第一織物生地及び第二織物生地を貫通するように縫製した請求項２に記載の鞄。
【請求項５】
第一織物生地の面上に、第二織物生地を、その経糸が、第一織物生地の経糸方向に対して斜め方向に重ね合わせて縫製する鞄生地の補強方法。
【発明の詳細な説明】
【技術分野】
【０００１】
本発明は、鞄に関し、より詳しくは、織物生地を補強した鞄に関する。
【背景技術】
【０００２】
綿等の織物などから形成した鞄がある。織物９は、図５に示すように、経糸９１と緯糸９２とを織り込んで形成するものであるが、解けやすいという問題があった。特に、持ち手の縫い目などには力が作用するため、この部分から解けることが多く、その部分が裂け目になったり、孔が空いたりして使用できなくなることがあった。そこで、生地の強度を持たせるために、表裏両面を構成する織物生地を相互に接着した鞄の生地が開発されている（下記特許文献１参照）。
【先行技術文献】
【特許文献】
【０００３】
【特許文献１】特開平１０−５２３０７号公報
【発明の概要】
【発明が解決しようとする課題】
【０００４】
上記特許文献１のように織物生地を二重にして接着することにより、強度を増すことはできるが、コスト的には高くなるものである。
織物９は、図５に示すように、例えば、緯糸９２に対して垂直方向（矢印Ｘの方向）に力が作用すると解けやすいものであるが、斜め方向（矢印Ｙの方向）に力が作用しても、比較的解けにくいものである。経糸９１も同様である。本発明者は、この点から知見を得て、簡便な方法で織物生地を解けにくくし、補強する方法を見出した。
【０００５】
そこで、本発明の目的は、織物生地を解けにくくし、補強した鞄を提供することにある。
【課題を解決するための手段】
【０００６】
本発明の鞄は、第一織物生地の面上に、経糸を、第一織物生地の経糸方向に対して斜め方向に重ね合わせて縫製した第二織物生地を備えたことを特徴とするものである。
【０００７】
本発明の鞄は、第二織物生地を、第一織物生地の面上に、それらの経糸が相違する方向になるように重ね合わせることにより、第一織物生地又は第二織物生地のどちらかの経糸又は緯糸には斜め方向に力が作用するため、織物生地が解けにくくなり、鞄生地が補強される。
【図面の簡単な説明】
【０００８】
【図１】本発明の一実施形態の鞄を示した部分拡大斜視図である。
【図２】本発明の第一織物生地と第二織物生地とを重ね合わせる方法の一例を模式的に示した斜視図である。
【図３】本発明の第一織物生地と第二織物生地との重ね合わせ部分に力が作用した場合を説明するための図である。
【図４】本発明の他の実施形態の鞄を示した背面図である。
【図５】従来の織物生地の一例を示した部分拡大図である。
【発明を実施するための形態】
【０００９】
以下、本発明の鞄を、一実施形態に基づいて説明する。
【００１０】
本発明の一実施形態の鞄１は、第一織物生地２の面上に、経糸が、第一織物生地２の経糸方向に対して斜め方向になるように重ね合わせて縫製した第二織物生地３を備えたことを特徴とするものであり、例えば、図１に示すように、第一織物生地２からなる本体部４と、本体部４の面上に縫製した、第二織物生地３からなる補強部材５とを、備えたものとすることができる。
鞄１は、手提げ鞄や肩掛け鞄（ショルダーバッグ）などとして用いることができる。
本体部４は、身頃や襠から形成した袋状の収納部を有してなり、上襠部分にファスナー４１により開閉可能な開口部４２を設けてある。
補強部材５は、本体部４の身頃と略同高さの縦長矩形状に形成してあり、身頃の左右に配し、身頃の面上に重ね合わせ、周囲を縫い糸６で縫製して取り付けてある。重ね合わせる際には、図２に模式的に示すように、第一織物生地２（本体部４）の経糸に対して第二織物生地３（補強部材５）の経糸が斜め方向になるように重ね合わせる。この角度は４０°〜５０°、特に４５°程度が好適である。
【００１１】
生地２，生地３は、特に限定するものではないが、綿、絹、ウール、麻、ナイロン等からなる化学繊維などを原料糸とすることができ、平織り、綾織り、しゅす織りなどの織り方とすることができる。
【００１２】
生地２と生地３とに用いる織物は、同じものでも相違するものでもよい。
【００１３】
補強部材５の上方寄りの面上には、ロの字状の金具を備えた取付部７が設けてある。取付部７は、金具の一辺に縦長長方形状の生地を二つ折りにして巻き付け、その端部を下方に向けて補強部材５の面上に配し、横方向に上下二列に縫い糸８で縫製して取り付けてある。この縫製は、縫い糸８が、第二織物生地３及び第一織物生地２を貫通するように縫製するのが好適である。取付部７には、持ち手や肩紐を取付けることができる。
【００１４】
鞄１は、第一織物生地２（本体部４）と第二織物生地３（補強部材５）とを、図１の拡大部分で示すように、生地２の経糸に対して生地３の経糸が斜め方向になり、縫い糸６で縫製してある。このため、図３に模式的に示すように、縫い糸６が、矢印Ａの方向に牽かれた場合、第一織物生地２の経糸に対しては垂直方向に力が作用するが、第二織物生地３の経糸又は緯糸に対しては、斜め方向に力が作用する。このため、第二織物生地３が解けにくく作用するため、第一織物生地２も解けにくくなる。
また、縫い糸６が、矢印Ｂの方向に牽かれた場合、第二織物生地３の経糸に対しては垂直方向に力が作用するが、第一織物生地２の経糸又は緯糸に対しては、斜め方向に力が作用する。このため、第一織物生地２が解けにくく作用するため、第二織物生地３も解けにくくなり、この部分の鞄生地が解けにくくなる。
【００１５】
また、鞄１は、取付部７の縫い糸８も、第一織物生地２（本体部４）と第二織物生地３（補強部材５）とを貫通するように縫製してあるので、縫い糸８に力が作用しても、上記と同様に、第一織物生地２又は第二織物生地３のどちらかが解けにくく作用し、この部分の鞄生地が解けにくくなる。
【００１６】
このように鞄１は、第一織物生地２の面上に、経糸が、第一織物生地２の経糸方向に対して斜め方向になるように重ね合わせて第二織物生地３を縫製したことにより、第一織物生地２又は第二織物生地３のどちらかの経糸又は緯糸には斜め方向に力が作用するため、織物生地が解けにくくなり、鞄生地が補強されたものとなる。
【００１７】
上記実施形態の鞄１では、取付部７を設け、持ち手又は肩紐を取付可能にしてあるが、補強部材５を上方に延長し、それを持ち手又は肩紐に形成した形態とすることもできる。
【００１８】
また、上記実施形態の鞄１では、手持ち鞄、肩掛け鞄などに適用できるが、本発明は、他の鞄にも応用することができる。例えば、図４に示すように、背負い鞄の持ち手９１の取付部分や肩ベルト９２の取付部分、金具等の取付部９３など力が作用する部分に適用することができ、その他にも、鞄の纏め部分などにも応用することができる。
【００１９】
上記実施形態の構成態様は、本発明を限定するものとして挙げたものではなく、技術目的を共通にするかぎり変更は可能であり、本発明はそのような変更を含むものである。
【符号の説明】
【００２０】
１鞄  ２第一織物生地  ３第二織物生地  ４本体部  ５補強部材  ６縫い糸  ７取付部  ８縫い糸  ９１持ち手  ９２肩ベルト  ９３取付部
【図１】
2012165917.tif 000003
【図２】
2012165917.tif 000004
【図３】
2012165917.tif 000005
【図４】
2012165917.tif 000006
【図５】
2012165917.tif 000007